(57)【要約】【課題】イメージングプレートとその撮影対象との関係づけの管理を行う煩雑さを回避でき、また、それらの取り違え等のミスの発生を防止できる移動型Ｘ線装置の提供。【解決手段】Ｘ線発生部によりＸ線撮影を制御するＸ線制御手段と、前記Ｘ線撮影によって撮影データが蓄積するイメージングプレートと、前記イメージングプレートに格納された画像データを読み出す画像読出手段と、前記画像読出手段による画像データの読出が終了した際に、前記イメージングプレートに格納されている撮影データを消去する消去手段と、を備える移動型Ｘ線装置であって、  前記Ｘ線撮影の終了によって前記Ｘ線制御手段をインターロックするインターロック手段と、  前記イメージングプレートに蓄積された画像データを前記画像読出手段による読出終了によって前記消去手段に前記イメージングプレートを消去させるように制御する制御手段とを備えた。【選択図】図１
2008136751.tif 000002
【特許請求の範囲】
【請求項１】
Ｘ線発生部によりＸ線撮影を制御するＸ線制御手段と、前記Ｘ線撮影によって撮影データが蓄積するイメージングプレートと、前記イメージングプレートに格納された画像データを読み出す画像読出手段と、前記画像読出手段による画像データの読出が終了した際に、前記イメージングプレートに格納されている撮影データを消去する消去手段と、を備える移動型Ｘ線装置であって、
前記Ｘ線撮影の終了によって前記Ｘ線制御手段をインターロックするインターロック手段と、
前記イメージングプレートに蓄積された画像データを前記画像読出手段による読出終了によって前記消去手段に前記イメージングプレートを消去させるように制御する制御手段とを備えたことを特徴とする移動型Ｘ線装置。
【請求項２】
前記制御手段は、前記消去手段によって前記イメージングプレートが消去された後に前記インターロック手段によるインターロックを解除するように制御することを特徴とする請求項１に記載の移動型Ｘ線装置。
【発明の詳細な説明】
【技術分野】
【０００１】
本発明は移動型Ｘ線装置に係り、特に、イメージングプレートを用いてＸ線撮影を行う移動型Ｘ線装置に関する。
【背景技術】
【０００２】
たとえば病室等において寝台に寝たきりの患者（被検体）にＸ線撮影を行う場合、該寝台に隣接して配置できるように移動できる移動型Ｘ線装置を用いることが極めて便利となっている。
【０００３】
そして、このような移動型Ｘ線装置において、たとえばＣＲ撮影法（コンビューティッド・ラジオグラフィ法）を用いて、被検体のＸ線撮影を行うものが知られている。
【０００４】
すなわち、ケーブルを介することなく移動型Ｘ線装置とは分離して自由な個所に配置できるイメージングプレートがあり、このイメージングプレートをたとえば寝台に設置することによって被検体の背部に配置させることができる。
【０００５】
そして、該寝台と隣接して配置される移動型Ｘ線装置のＸ線発生部から該被検体を通して照射されるＸ線を該イメージングプレートが受け、このイメージングプレートに内包されるたとえば輝尽性蛍光体にＸ線エネルギーが蓄積されるようになっている。したがって、この段階でのイメージングプレートは、その輝尽性蛍光体にＸ線撮影像に対応する潜像が形成されるのみとなる。
【０００６】
このため、前記移動型Ｘ線装置には、画像読出手段および情報格納手段が搭載されており、Ｘ線撮影がなされた後の前記イメージングプレートを前記画像読出手段に設置することにより、該イメージングプレートにレーザービームを照射することによって前記Ｘ線エネルギーを電気信号に変換し、その電気信号をデジタル値として画像化し、その画像データを前記情報格納手段に保存できるようになっている。
【０００７】
このような構成かなる移動型Ｘ線装置は、たとえば下記特許文献１において、詳細に開示されている。
【特許文献１】特開２００５−２０４８６０号公報
【発明の開示】
【発明が解決しようとする課題】
【０００８】
しかし、上述した移動型Ｘ線装置は、連続してなされる各Ｘ線撮影において、それぞれ異なるイメージングプレートを用いており、これら各イメージングプレートは、たとえばその撮影対象の情報（撮影患者あるいは撮影部位等の情報）が記されたラベル等を貼ることによって、それぞれ識別させておく必要があった。
【０００９】
これにより、その後に該イメージングプレートから読み出した画像データの保存にあって、前記撮影対象の情報との関係付けをしながら保存しなければならず、その作業は繁雑であるとともに、取り違え等のミスの発生が生じる不都合があった。
【００１０】
そして、Ｘ線撮影の枚数が多くなる場合に、それに応じて上述した不都合が多く発生し、その解決策が要望されるに至っている。
【００１１】
本発明の目的は、イメージングプレートとその撮影対象との関係づけの管理を行う煩雑さを回避でき、また、それらの取り違え等のミスの発生を防止できる移動型Ｘ線装置を提供することにある。
【課題を解決するための手段】
【００１２】
本願において開示される発明のうち、代表的なものの概要を簡単に説明すれば、以下のとおりである。
【００１３】
（１）本発明による移動型Ｘ線装置は、たとえば、Ｘ線発生部によりＸ線撮影を制御するＸ線制御手段と、前記Ｘ線撮影によって撮影データが蓄積するイメージングプレートと、前記イメージングプレートに格納された画像データを読み出す画像読出手段と、前記画像読出手段による画像データの読出が終了した際に、前記イメージングプレートに格納されている撮影データを消去する消去手段と、を備える移動型Ｘ線装置であって、
前記Ｘ線撮影の終了によって前記Ｘ線制御手段をインターロックするインターロック手段と、
前記イメージングプレートに蓄積された画像データを前記画像読出手段による読出終了によって前記消去手段に前記イメージングプレートを消去させるように制御する制御手段とを備えたことを特徴とする。
【００１４】
（２）本発明による移動型Ｘ線装置は、たとえば、（１）の構成を前提とし、前記制御手段は、前記消去手段によって前記イメージングプレートが消去された後に前記インターロック手段によるインターロックを解除するように制御することを特徴とする。
【００１５】
なお、本発明は以上の構成に限定されず、本発明の技術思想を逸脱しない範囲で種々の変更が可能である。
【発明の効果】
【００１６】
このように構成した移動型Ｘ線装置は、イメージングプレートとその撮影対象との関係づけの管理を行う煩雑さを回避でき、また、それらの取り違え等のミスの発生を防止できる。
【発明を実施するための最良の形態】
【００１７】
以下、本発明による移動型Ｘ線装置の実施例を図面を用いて説明をする。
【００１８】
図２は、本発明による移動型Ｘ線装置の外観の構成および用途を示した説明図である。
【００１９】
図２において、移動型Ｘ線装置１は、まず、車輪２を有する移動台車３を備えて構成されている。該移動台車３は電動あるいは手動のいずれかで移動できるようになっている。移動台車３の前方部には支持機構４を有し、この支持機構４にはアーム部５を介してＸ線発生部６が取り付けられている。これにより、該Ｘ線発生部６は支持機構４（移動台車３）に対し上下左右方向の自由な位置に配置させることができるようになっている。また、移動台車３の後方部にはＸ線装置の本体部７が搭載され、この本体部７は前記Ｘ線発生部６からのＸ線照射等の制御を行うＸ線制御手段１１の他に後述するいくつかの手段を備えて構成されている。
【００２０】
一方、被検体８が横臥されている寝台９があり、前記移動Ｘ線装置１は該寝台９に隣接する個所まで移動した後に、そのＸ線発生部６を前記被検体８の撮影しようとする部位の上方に該Ｘ線発生部６を該部位に指向させた状態で配置できるようになっている。
【００２１】
この場合、前記寝台９には、該被検体８の下部に相当する個所に、イメージングプレート１０を取り外し可能に配置できるようになっている。このイメージングプレート１０は、ケーブルを介することなく移動型Ｘ線装置１とは分離して自由な個所に配置できるようになっている。そして、このイメージングプレート１０は、たとえば輝尽性蛍光体を内包し、Ｘ線撮影の際のＸ線撮像検出部として機能するもので、前記Ｘ線管６からのＸ線を前記被検体８を通して入力させるようになっている。
【００２２】
なお、該イメージングプレート１０は、それを用いた撮影が終了した際には、前記本体部７に設置し、該本体部７に備える後述の画像読出手段１３によって該撮影によって得られる画像データを読み出すことができるようになっている。
【００２３】
図１は、前記本体部７の構成の一実施例を示すブロック図であり、該本体部７に相当する部分を点線枠で示している。
【００２４】
図１において、まず、Ｘ線制御手段１１があり、このＸ線制御手段１１は、Ｘ線条件設定用パネル１２からの出力に基づいて前記Ｘ線発生部６の駆動の制御を行うようになっている。これにより、操作者は、Ｘ線条件設定用パネル１２によってたとえばＸ線発生部６の管電流等を設定でき、被検体８におけるＸ線撮影を適切に行うことができる。
【００２５】
なお、該Ｘ線発生部６の駆動によって被検体８のＸ線撮影を行う場合、該被検体８が横臥する寝台９にはイメージングプレート１０が設置されており、該Ｘ線撮影によって、この段階では、イメージングプレート１０内の輝尽性蛍光体にＸ線撮影像に対応する潜像を形成するようになっている。なお、この段階でのイメージングプレート１０の前記潜像の如く情報を、便宜上この明細書では、撮影データと称する場合がある。
【００２６】
前記Ｘ線発生部６の駆動によるＸ線撮影が終了した場合、該Ｘ線発生部６からはその旨の信号がＸ線制御手段１１に送出されるようになっている。Ｘ線制御手段１１は、前記信号を入力することにより、インターロックがかけられるように構成され、これにより、後述のインターロック解除がなされない限り次のＸ線撮影ができない状態となっている。前記イメージングプレート１０から読み出される画像データの保存が終了するまで次のＸ線撮影ができないようにし、複数枚のＸ線撮影をする場合においてそれらの取り違えを防止する趣旨である。
【００２７】
そして、イメージングプレート１０を前記寝台９から取り外しさらに本体部７に設置することにより、画像読出手段１３によって、該イメージングプレート１０からその撮影データに対応する画像データを読み出すことができるようになっている。図１では、メージングプレート１０が本体部７に設置された場合を示している。
【００２８】
画像読出手段１３は、前記イメージングプレート１０に形成された前記撮影データを画像データとして読み出すように構成され、たとえば、図示しないレーザ走査手段、光電子増倍管、およびＡ／Ｄ変換器等を備えている。
【００２９】
すなわち、Ｘ線撮影後における前記イメージングプレート１０にはその輝尽性蛍光体に蓄積された捕獲電子からなる潜像（撮影データ）が形成されている。そして、前記レーザ走査手段によって、前記潜像にレーザビームを走査することにより、前記輝尽性蛍光体がＸ線照射量に応じた輝度で輝尽蛍光し、該潜像が光量子に変換されるようになっている。さらに、前記光電子増倍管によって、前記光量子をアナログ電気信号に変換し、前記Ａ／Ｄ変換器によって、前記アナログ電気信号をデジタル信号からなる画像データとして出力させるようになっている。
【００３０】
また、この画像読出手段１３には消去手段１３Ａを備えている。この消去手段１３Ａは、前記イメージングプレート１０から画像データを読み出した後に、該イメージングプレート１０の前記輝尽性蛍光体における潜像（撮影データ）を消去できるようになっている。該イメージングプレート１０の次の撮影において利用できるようにするためである。そして、このように消去手段１３Ａを設けることによって、多数枚からなるＸ線撮影をほぼ同時に行うような場合において、それに応じた数のイメージングプレート１０を用意する煩雑さを回避できる効果を奏する。
【００３１】
該消去手段１３Ａは、たとえば図示しない消去光照射部を備えて構成され、前記イメージングプレート１０の前記輝尽性蛍光体における潜像（撮影データ）の消去は、該輝尽性蛍光体に残留するＸ線エネルギーを消去することによって行っている
なお、該消去手段１３Ａの該イメージングプレート１０の前記輝尽性蛍光体における潜像（撮影データ）の消去は、情報格納手段１４からの後述する信号の受信によって行うようになっている。イメージングプレート１０からの画像データを情報格納手段１４に保存する前に該イメージングプレート１０の撮影データを消去してしまうミスの発生を回避させるためである。
【００３２】
そして、前記画像読出手段１３からの前記画像データは情報格納手段１４に格納されるようになっている。
【００３３】
該情報格納手段１４では、前記画像データはその撮影対象の情報（撮影患者あるいは撮影部位等の情報）と関連付けられて保存されるようになっている。この撮影対象の情報は、情報管理操作パネル１５からたとえば操作者によって入力される情報となっている。
【００３４】
また、該情報格納手段１４によって、前記画像読出手段１３からの前記画像データの読出が終了した場合、その旨の信号を前記Ｘ線制御手段１１に送出するようになっている。該Ｘ線制御手段１１は、その信号を受信するまで次の撮影のための制御ができない状態、すなわちインターロックがかけられた状態となっている。
【００３５】
次に、このように構成した移動型Ｘ線装置において、そのＸ線撮影からそのＸ線撮影によって得られる画像データの保存までの動作について説明をする。
【００３６】
まず、寝台６にイメージングプレート１０をセットし、該寝台６に隣接して配置される移動型Ｘ線装置１のＸ線発生部６を動作させることによって、被検体８およびその背部に配置された前記イメージングプレート１０にＸ線を照射することによって撮影をする。
【００３７】
そして、その撮影の終了後に、Ｘ線制御手段１１は、Ｘ線発生部６からの信号によって、撮影ができないように一旦インターロックがかけられるようになっている。すなわち、この段階で再度の撮影ができない状態となる。いまだ画像データが読み出されていないイメージングプレート１０が複数存在してしまうことを回避し、取り違いのミスを犯すことのないようにせんがためである。
【００３８】
そして、前記撮影によってＸ線照射がなされたイメージングプレート１０を、寝台９から取り外し本体部７に設置し、画像読出手段１３の操作によって該イメージングプレート１０から画像データの読み出しを行う。該画像読出手段１３は、該イメージングプレート１０からの画像データの読み出しを終了した場合、その旨の信号を前記Ｘ線制御手段１１に送出し、該Ｘ線制御手段１１はいままでになされていた前記インターロックを解除するように動作する。これにより、再度の撮影が行える状態となる。
【００３９】
また、前記画像読出手段１３によってイメージングプレート１０から読み出された画像データは、情報格納手段１４へ転送され、該情報格納手段１４に格納される。この場合、該情報格納手段１４は、情報管理操作パネル１５からたとえば撮影対象となっている患者の情報が入力されており、前記画像データはこの患者の情報と関係付けられて保存されるようになっている。
【００４０】
さらに、前記情報格納手段１４によって前記情報の格納が完了した場合に、その旨の信号が消去手段１３Ａに送出される。該信号を受けた消去手段１３Ａはイメージングプレート１０に格納されている撮影データ（潜像）を消去するように動作する。これによって、該イメージングプレート１０は、次の撮影においてそのまま利用できる状態とすることができる。
【００４１】
このことから明らかとなるように、本実施例による移動型Ｘ線装置１によれば、撮影を行う度に、画像データの生成から該画像データの撮影対象の情報と関連づけた保存を行うことができる。したがって、イメージングプレート１０とその撮影対象との関係づけの管理を行う煩雑さを回避でき、また、それらの取り違え等のミスの発生を防止できる。
【００４２】
上述した各実施例はそれぞれ単独に、あるいは組み合わせて用いても良い。それぞれの実施例での効果を単独であるいは相乗して奏することができるからである。
【図面の簡単な説明】
【００４３】
【図１】本発明による移動型Ｘ線装置の外観の構成および用途を示した説明図である。
【図２】本発明による移動型Ｘ線装置の本体部の構成の一実施例を示すブロック図である。
【符号の説明】
【００４４】
１……移動型Ｘ線装置、２……車輪、３……移動台車、４……支持機構、５……アーム部、６……Ｘ線発生部、７……本体部、８……被検体、９……寝台、１０……イメージングプレート、１１……制御手段、１２……Ｘ線条件設定用パネル、１３……画像読出手段、１３Ａ……消去手段、１４……情報格納手段、１５……情報管理操作パネル。
【図１】
2008136751.tif 000003
【図２】
2008136751.tif 000004